(57)【特許請求の範囲】
【請求項１】
分散補償の方向が短波長側と長波長側とで異なっている光波長多重伝送において相異なる複数の波長が合波された信号光の分散補償を行う分割波長分散補償システムであって、
前記信号光を分散補償の方向および多寡によりＮ個に分岐する手段と、
前記Ｎ個に分岐後の信号光を一括分散補償する手段と、
前記一括分散補償後の信号光に含まれる各波長を取り出す手段と、
前記一括分散補償後に取り出された信号光に含まれる各波長のそれぞれについて所定の分散補償を個別に実行する手段とを有することを特徴とする分割波長分散補償システム。
【請求項２】
分散補償の方向が短波長側と長波長側とで異なっている光波長多重伝送において相異なる複数の波長が合波された信号光の分散補償を行う分割波長分散補償システムであって、
前記信号光を分散補償の方向および多寡によりＮ個に分岐後一括分散補償し、当該一括分散補償後の信号光に含まれる各波長を取り出すとともに、必要な分散補償を当該信号光に含まれる各波長個別に実施するように構成されていることを特徴とする分割波長分散補償システム。
【請求項３】
分散補償の方向が短波長側と長波長側とで異なっている光波長多重伝送において相異なる複数の波長が合波された信号光の分散補償を行う分割波長分散補償システムであって、
分散補償の方向および多寡に応じて前記信号光に含まれる波長をＮ個のグループに分割する手段と、
前記分割したグループ毎の信号光に対して一括して分散補償を実行する手段と、
前記一括して分散補償した後の信号光に対して当該信号光に含まれる波長毎の分散補償を行う手段を有することを特徴とする分割波長分散補償システム。
【請求項４】
分散補償の方向が短波長側と長波長側とで異なっている光波長多重伝送において相異なる複数の波長が合波された信号光の分散補償を行う分割波長分散補償システムであって、
分散補償の方向および多寡に応じて前記信号光に含まれる波長をＮ個のグループに分割し、当該分割したグループ毎に一括して分散補償を実行した後、当該信号光に含まれる波長毎の分散補償を行うように構成されていることを特徴とする分割波長分散補償システム。
【請求項５】
分散補償の方向に応じて分散補償ファイバもしくはカットオフシフトファイバのいずれかを使用して分散補償を行うことを特徴とする請求項１乃至４のいずれか一項に記載の分割波長分散補償システム。
【請求項６】
分散補償の方向が短波長側と長波長側とで異なっている光波長多重伝送において相異なる複数の波長が合波された信号光の分散補償を行う分割波長分散補償方法であって、
前記信号光を分散補償の方向および多寡によりＮ個に分岐する工程と、前記Ｎ個に分岐後の信号光を一括分散補償する工程と、
前記一括分散補償後の信号光に含まれる各波長を取り出す工程と、
前記一括分散補償後に取り出された信号光に含まれる各波長のそれぞれについて所定の分散補償を個別に実行する工程を有することを特徴とする分割波長分散補償方法。
【請求項７】
分散補償の方向が短波長側と長波長側とで異なっている光波長多重伝送において相異なる複数の波長が合波された信号光の分散補償を行う分割波長分散補償方法であって、
前記信号光を分散補償の方向および多寡によりＮ個に分岐後一括分散補償し、
当該一括分散補償後の信号光に含まれる各波長を取り出すとともに、必要な分散補償を当該信号光に含まれる各波長個別に実施することを特徴とする分割波長分散補償方法。
【請求項８】
分散補償の方向が短波長側と長波長側とで異なっている光波長多重伝送において相異なる複数の波長が合波された信号光の分散補償を行う分割波長分散補償方法であって、
分散補償の方向および多寡に応じて前記信号光に含まれる波長をＮ個のグループに分割する工程と、
前記分割したグループ毎の信号光に対して一括して分散補償を実行する工程と、
前記一括して分散補償した後の信号光に対して当該信号光に含まれる波長毎の分散補償を行う工程を有することを特徴とする分割波長分散補償方法。
【請求項９】
分散補償の方向が短波長側と長波長側とで異なっている光波長多重伝送において相異なる複数の波長が合波された信号光の分散補償を行う分割波長分散補償方法であって、分散補償の方向および多寡に応じて前記信号光に含まれる波長をＮ個のグループに分割し、当該分割したグループ毎に一括して分散補償を実行した後、当該信号光に含まれる波長毎の分散補償を行うことを特徴とする分割波長分散補償方法。
【請求項１０】
分散補償の方向に応じて分散補償ファイバもしくはカットオフシフトファイバのいずれかを使用して分散補償を行うことを特徴とする請求項６乃至９のいずれか一項に記載の分割波長分散補償方法。
【発明の詳細な説明】
【０００１】
【発明の属する技術分野】
本発明は、相異なる複数の波長をそれぞれ有する複数の信号光を一つの光伝送路に伝播させて通信を行う波長多重光通信に最適な分割波長分散補償技術に係り、特に光波長多重伝送時の波長の分散補償に用いる分散補償ファイバの必要量節減を図る分割波長分散補償システムおよび分割波長分散補償方法に関する。
【０００２】
【従来の技術】
光直接増幅器を使用した波長多重分離光伝送中継システムにおける光伝送路の波長分散補償システムに関する従来技術としては、例えば、特開平９−１９１２９０号公報（第１従来技術）に記載のものがある。すなわち、第１従来技術は、波長多重分離方式の光直接増幅中継伝送システムにおいて、異なる波長分散を有する光信号と同時に波長分散補償することを目的とし、波長分離多重光伝送路における波長分散補償システムであって、波長多重光信号を各波長に分離する波長分離手段と、光伝送路による光信号の波長分散を分離波長の光信号毎にそれぞれ独立して補償する分散補償手段とを設け、光伝送路は各波長に対してそれぞれ所定分散値を有する光ファイバであり、分散補償手段はこの光ファイバの各波長に対する分散値とは逆極性の分散値を、各波長に対して有する補償用光ファイバであり、補償用光ファイバのそれぞれは、対応波長の光信号に対する光伝送路とこの補償用光ファイバとによる分散値の合計が略零になるようにその長さが予め定められており、補償用光ファイバのそれぞれは、ケーブルドラムに巻回されており、光伝送路が複数ブロックに分割され、これ等各ブロック毎に、波長分離手段及び分散補償手段を設けた光伝送路の波長分散補償システムである。このような光伝送路の波長分散補償システムによれば、波長多重された各光信号波長毎に波長分散補償を行うようにしたので、波長分散の異なる全ての光信号波長を同時にかつ完全に波長分散補償することができるといった効果が開示されている。
【０００３】
一方、効率的な分散補償および損失補償ならびに光増幅器等の能動デバイスの低減を図ることを目的とする従来技術としては、例えば、特開平１０−１４５２９８号公報に記載（第２従来技術）のものがある。すなわち、第２従来技術は、入力された波長多重光信号を波長多重数に分岐するため多段に接続された光ファイバカプラと、各光ファイバカプラの第１の分岐側に挿入された光フィルタ手段と、各光ファイバカプラの第２の分岐側に必要に応じて挿入された分散等化光ファイバと、最終段の光ファイバカプラの第２の分岐側に設けられた光フィルタ手段と、最前段に設けられた光ファイバカプラおよび最終段の光ファイバカプラの第２の分岐側に設けられた光フィルタ手段の間の予め設定された位置に挿入された光増幅器とを具備し、光増幅器は、多段に接続された光ファイバカプラの少なくとも１段おきにその出力側に挿入された波長多重通信用光分波装置である。このような波長多重通信用光分波装置によれば、分波装置全体としては等化ファイバの長さを減少させることができ、また、各チャネル毎の等化ファイバの挿入長さは大きくないので、各チャネル毎の光信号の減衰量を小さくできる。したがって、光増幅器は各チャネルに配置することなく、必要量の損失補償はでき、部品数の低減による信頼性の高い分波装置を提供できるとともに、能動デバイスの減少により該分波装置を含む通信システム全体の経済性を高めることもできるといった効果が開示されている。
【０００４】
また、相異なる複数の波長をそれぞれ有する複数の信号光を一つの光伝送路に伝播させて通信を行う波長多重光通信における信号波長毎の分散量の均一化に関する従来技術としては、例えば、特開平１０−１７０７５２号公報号公報（第３従来技術）に記載のものがある。すなわち、第３従来技術は、簡易な構成で波長多重用の分散補償光回路を実現することを目的とするものであって、第１のポートから第２のポートへ、第２のポートから第３のポートへ光信号を導く光サーキュレータと、第２のポートに入力ポートを接続され、入力ポートから入力された光信号を波長毎に分割して複数の出力ポートに出力するＷＤＭカプラと、ＷＤＭカプラの出力ポートの少なくとも１つにそれぞれ分散媒体を介して光学的に接続された光反射器とを含む分散補償光回路である。このような分散補償光回路は、構成が簡単で、波長毎に分散量を制御でき、波長毎に高分散媒体による伝送損失の補償が可能で伝送レベルを均一にできるといった効果が開示されている。
【０００５】
【発明が解決しようとする課題】
しかしながら、上記従来技術は、長距離伝送時に分散を補償することは一般的に行われているが、波長分割多重（ＷＤＭ（Ｗａｖｅｌｅｎｇｔｈ  Ｄｉｖｉｓｉｏｎ  Ｍｕｌｔｉｐｌｅｘｉｎｇ））伝送時にも従来通り波長毎に分散補償を行うと、波長毎の分散補償に必要な分散補償ファイバの量が膨大になるという問題点があった。分散補償ファイバは高価であり、かつ収納場所もとるため、分散補償ファイバの必要量を少なくする技術が必要とされている。
【０００６】
本発明は斯かる問題点を鑑みてなされたものであり、その目的とするところは、光波長多重伝送時の波長の分散補償に用いる分散補償ファイバの必要量節減を図る分割波長分散補償システムおよび分割波長分散補償方法を提供する点にある。
【０００７】
【課題を解決するための手段】
請求項１に記載の発明の要旨は、分散補償の方向が短波長側と長波長側とで異なっている光波長多重伝送において相異なる複数の波長が合波された信号光の分散補償を行う分割波長分散補償システムであって、前記信号光を分散補償の方向および多寡によりＮ個に分岐する手段と、前記Ｎ個に分岐後の信号光を一括分散補償する手段と、前記一括分散補償後の信号光に含まれる各波長を取り出す手段と、前記一括分散補償後に取り出された信号光に含まれる各波長のそれぞれについて所定の分散補償を個別に実行する手段とを有することを特徴とする分割波長分散補償システムに存する。
また請求項２に記載の発明の要旨は、分散補償の方向が短波長側と長波長側とで異なっている光波長多重伝送において相異なる複数の波長が合波された信号光の分散補償を行う分割波長分散補償システムであって、前記信号光を分散補償の方向および多寡によりＮ個に分岐後一括分散補償し、当該一括分散補償後の信号光に含まれる各波長を取り出すとともに、必要な分散補償を当該信号光に含まれる各波長個別に実施するように構成されていることを特徴とする分割波長分散補償システムに存する。
また請求項３に記載の発明の要旨は、分散補償の方向が短波長側と長波長側とで異なっている光波長多重伝送において相異なる複数の波長が合波された信号光の分散補償を行う分割波長分散補償システムであって、分散補償の方向および多寡に応じて前記信号光に含まれる波長をＮ個のグループに分割する手段と、前記分割したグループ毎の信号光に対して一括して分散補償を実行する手段と、前記一括して分散補償した後の信号光に対して当該信号光に含まれる波長毎の分散補償を行う手段を有することを特徴とする分割波長分散補償システムに存する。
また請求項４に記載の発明の要旨は、分散補償の方向が短波長側と長波長側とで異なっている光波長多重伝送において相異なる複数の波長が合波された信号光の分散補償を行う分割波長分散補償システムであって、分散補償の方向および多寡に応じて前記信号光に含まれる波長をＮ個のグループに分割し、当該分割したグループ毎に一括して分散補償を実行した後、当該信号光に含まれる波長毎の分散補償を行うように構成されていることを特徴とする分割波長分散補償システムに存する。
また請求項５に記載の発明の要旨は、分散補償の方向に応じて分散補償ファイバもしくはカットオフシフトファイバのいずれかを使用して分散補償を行うことを特徴とする請求項１乃至４のいずれか一項に記載の分割波長分散補償システムに存する。
また請求項６に記載の発明の要旨は、分散補償の方向が短波長側と長波長側とで異なっている光波長多重伝送において相異なる複数の波長が合波された信号光の分散補償を行う分割波長分散補償方法であって、前記信号光を分散補償の方向および多寡によりＮ個に分岐する工程と、前記Ｎ個に分岐後の信号光を一括分散補償する工程と、前記一括分散補償後の信号光に含まれる各波長を取り出す工程と、前記一括分散補償後に取り出された信号光に含まれる各波長のそれぞれについて所定の分散補償を個別に実行する工程を有することを特徴とする分割波長分散補償方法に存する。
また請求項７に記載の発明の要旨は、分散補償の方向が短波長側と長波長側とで異なっている光波長多重伝送において相異なる複数の波長が合波された信号光の分散補償を行う分割波長分散補償方法であって、前記信号光を分散補償の方向および多寡によりＮ個に分岐後一括分散補償し、当該一括分散補償後の信号光に含まれる各波長を取り出すとともに、必要な分散補償を当該信号光に含まれる各波長個別に実施することを特徴とする分割波長分散補償方法に存する。
また請求項８に記載の発明の要旨は、分散補償の方向が短波長側と長波長側とで異なっている光波長多重伝送において相異なる複数の波長が合波された信号光の分散補償を行う分割波長分散補償方法であって、分散補償の方向および多寡に応じて前記信号光に含まれる波長をＮ個のグループに分割する工程と、前記分割したグループ毎の信号光に対して一括して分散補償を実行する工程と、前記一括して分散補償した後の信号光に対して当該信号光に含まれる波長毎の分散補償を行う工程を有することを特徴とする分割波長分散補償方法に存する。
また請求項９に記載の発明の要旨は、分散補償の方向が短波長側と長波長側とで異なっている光波長多重伝送において相異なる複数の波長が合波された信号光の分散補償を行う分割波長分散補償方法であって、分散補償の方向および多寡に応じて前記信号光に含まれる波長をＮ個のグループに分割し、当該分割したグループ毎に一括して分散補償を実行した後、当該信号光に含まれる波長毎の分散補償を行うことを特徴とする分割波長分散補償方法に存する。
また請求項１０に記載の発明の要旨は、分散補償の方向に応じて分散補償ファイバもしくはカットオフシフトファイバのいずれかを使用して分散補償を行うことを特徴とする請求項６乃至９のいずれか一項に記載の分割波長分散補償方法に存する。
【０００８】
【発明の実施の形態】
以下に示す実施の形態の特徴は、波長分割多重（ＷＤＭ（Ｗａｖｅｌｅｎｇｔｈ  Ｄｉｖｉｓｉｏｎ  Ｍｕｌｔｉｐｌｅｘｉｎｇ））伝送において、分散補償の方向および多寡により、信号光に含まれる波長をＮ個のグループに分割し、分割したグループ毎に一括して分散補償後、各波長の分散補償を行うため、従来の各波長に分散補償する方法と比べて必要とする分散補償ファイバの量が少なくできることにある。以下、本発明の実施の形態を図面に基づいて詳細に説明する。
【０００９】
（第１の実施の形態）
まず最初に、図面に基づき発明の第１の実施の形態を説明する。図１は本発明の第１の実施の形態にかかる分割波長分散補償システム１００を説明するためのシステムブロック図である。図１において、２０はアレー導波路格子形光結合分波器（ＡＷＧ：Ａｒｒａｙｅｄ  Ｗａｖｅｇｕｉｄｅ  Ｇｒａｔｉｎｇ）、３０は光カプラ（ＣＰＬ：Ｏｐｔｉｃａｌ  Ｃｏｕｐｌｅｒ）、４０はカットオフシフトファイバ（ＣＳＦ：Ｃｕｔｏｆｆ  Ｓｈｉｆｔｅｄ  Ｆｉｂｅｒ）、５０は分散補償ファイバ（ＤＣＦ：Ｄｉｓｐｅｒｓｉｏｎ  ＣｏｍｐｅｎｓａｔｉｏｎＦｉｂｅｒ）、１００は分割波長分散補償システム、λ１，…，λｎは信号光に含まれる波長を示している。図１を参照すると、本実施の形態の分割波長分散補償システム１００は、複数のアレー導波路格子形光結合分波器２０（ＡＷＧ：Ａｒｒａｙｅｄ  Ｗａｖｅｇｕｉｄｅ  Ｇｒａｔｉｎｇ）と、相異なる複数の波長λ１，…，λｎが入力される光カプラ３０（ＣＰＬ）と、複数のカットオフシフトファイバ４０（ＣＳＦ：Ｃｕｔｏｆｆ  Ｓｈｉｆｔｅｄ  Ｆｉｂｅｒ）と、複数の分散補償ファイバ５０（ＤＣＦ：Ｄｉｓｐｅｒｓｉｏｎ  Ｃｏｍｐｅｎｓａｔｉｏｎ  Ｆｉｂｅｒ）を備え、波長分割多重（ＷＤＭ：Ｗａｖｅｌｅｎｇｔｈ  Ｄｉｖｉｓｉｏｎ  Ｍｕｌｔｉｐｌｅｘｉｎｇ）伝送において、分散補償の方向および多寡により、信号光に含まれる波長λ１〜波長λｎをＮ個のグループに分割し、分割したグループ毎に一括して分散補償後、各波長の分散補償を行うように構成されている。
【００１０】
本実施の形態の分割波長分散補償システム１００において、具体的には、図１に示すように、ＷＤＭ伝送の波長λ１〜波長λｎのそれぞれは光カプラ３０（ＣＰＬ）にて分岐された後、光カプラ３０（ＣＰＬ）の後段に接続されている分散補償ファイバ５０（ＤＣＦ）およびカットオフシフトファイバ４０（ＣＳＦ）へ送出される。光カプラ３０（ＣＰＬ）の後段に接続されている分散補償ファイバ５０（ＤＣＦ）は、光カプラ３０（ＣＰＬ）から入力された信号光に含まれる波長λ１〜波長λｎのそれぞれを所定量だけ分散補償した後に当該信号光を後段に接続されているアレー導波路格子形光結合分波器２０（ＡＷＧ）へ送出する。分散補償ファイバ５０（ＤＣＦ）の後段に接続されているアレー導波路格子形光結合分波器２０（ＡＷＧ）は、信号光に含まれる波長λ１〜波長λｎの波長の中から所定の波長を取り出し、当該取り出した波長を含む信号光を後段に接続されている分散補償ファイバ５０（ＤＣＦ）および装置外へ出力する。
【００１１】
一方、光カプラ３０（ＣＰＬ）の後段に接続されているカットオフシフトファイバ４０（ＣＳＦ）は、光カプラ３０（ＣＰＬ）から入力された信号光に含まれる波長λ１〜波長λｎのそれぞれを所定量だけ分散補償した後に当該信号光を後段に接続されているアレー導波路格子形光結合分波器２０（ＡＷＧ）へ送出する。カットオフシフトファイバ４０（ＣＳＦ）の後段に接続されているアレー導波路格子形光結合分波器２０（ＡＷＧ）は、カットオフシフトファイバ４０（ＣＳＦ）から受け取った波長λ１〜波長λｎの波長の中から所定波長を取り出し、当該取り出した波長を含む信号光を装置外および後段に接続されているカットオフシフトファイバ４０（ＣＳＦ）へ出力する。なお、アレー導波路格子形光結合分波器２０（ＡＷＧ）を備えていない従来の分割波長分散補償システム１００を説明するためのシステムブロック図を図２に示す。
【００１２】
以上説明したように第１の実施の形態によれば、波長分割多重（ＷＤＭ）伝送において、分散補償の方向および多寡により、信号光に含まれる波長λ１〜波長λｎをＮ個のグループに分割し、分割したグループ毎に一括して分散補償後、信号光に含まれる毎の分散補償を行うため、従来の波長毎に分散補償する方法と比べて必要とする分散補償ファイバ５０の量が少なくなるといった効果を奏する。
【００１３】
（第２の実施の形態）
次に、図面に基づき発明の第２の実施の形態を説明する。図３は本発明の第２の実施の形態にかかる分割波長分散補償システム１００を説明するためのシステムブロック図である。なお、第１の実施の形態において既に記述したものと同一の部分については、同一符号を付し、重複した説明は省略する。図３において、１０は光アンプ（ＡＭＰ１，…，ＡＭＰ９）、２０はアレー導波路格子形光結合分波器（ＡＷＧ１，…，ＡＷＧ３）、３０は光カプラ（ＣＰＬ１）、４０はカットオフシフトファイバ（ＣＳＦ１，…，ＣＳＦ４）、５０は分散補償ファイバ（ＤＣＦ１，…，ＤＣＦ８）、１００は分割波長分散補償システム、λ１，…，λ１２は信号光に含まれる波長を示している。図３に示す波長λ１〜波長λ１２のそれぞれに必要な分散補償量は下記の通りとする。
【００１４】
波長λ１：−７０００ｐｓ／ｎｍ
波長λ２：−６０００ｐｓ／ｎｍ
波長λ３：−５０００ｐｓ／ｎｍ
波長λ４：−４０００ｐｓ／ｎｍ
波長λ５：−３０００ｐｓ／ｎｍ
波長λ６：−２０００ｐｓ／ｎｍ
波長λ７：−１０００ｐｓ／ｎｍ
波長λ８：０ｐｓ／ｎｍ
波長λ９：１０００ｐｓ／ｎｍ
波長λ１０：２０００ｐｓ／ｎｍ
波長λ１１：３０００ｐｓ／ｎｍ
波長λ１２：４０００ｐｓ／ｎｍ
【００１５】
図３を参照すると、本実施の形態の分割波長分散補償システム１００は、光アンプ１０（ＡＭＰ１，…，ＡＭＰ９）と、アレー導波路格子形光結合分波器２０（ＡＷＧ１，…，ＡＷＧ３）と、光カプラ３０（ＣＰＬ１）と、カットオフシフトファイバ４０（ＣＳＦ１，…，ＣＳＦ４）と、分散補償ファイバ５０（ＤＣＦ１，…，ＤＣＦ８）を備えている。
【００１６】
ＷＤＭ伝送の波長λ１〜波長λ１２のそれぞれは光カプラ３０（ＣＰＬ１）にて分岐された後、分散補償ファイバ５０（ＤＣＦ１）、アレー導波路格子形光結合分波器２０（ＡＷＧ２）およびカットオフシフトファイバ４０（ＣＳＦ１）へ送出される。
【００１７】
分散補償ファイバ５０（ＤＣＦ１）は、入力された信号光に含まれる波長λ１〜波長λ１２のそれぞれを−２０００ｐｓ／ｎｍだけ分散補償した後に当該信号光を光アンプ１０（ＡＭＰ１）へ送出する。光アンプ１０（ＡＭＰ１）は、分散補償ファイバ５０（ＤＣＦ１）を通過する際に減衰した信号光に含まれる波長λ１〜波長λ１２のそれぞれを増幅して当該増幅した波長を含む信号光を分散補償ファイバ５０（ＤＣＦ２）へ送出する。
【００１８】
分散補償ファイバ５０（ＤＣＦ２）は、入力された信号光に含まれる波長λ１〜波長λ１２のそれぞれを−２０００ｐｓ／ｎｍだけ分散補償した後に当該信号光をアレー導波路格子形光結合分波器２０（ＡＷＧ１）へ送出する。
【００１９】
アレー導波路格子形光結合分波器２０（ＡＷＧ１）は、信号光に含まれる波長λ１〜波長λ１２の波長の中から波長λ１、波長λ２、波長λ３および波長λ４の４波長を取り出し、当該取り出した信号光が含む波長λ１、波長λ２、波長λ３および波長λ４を光アンプ１０（ＡＭＰ３）、光アンプ１０（ＡＭＰ４）、分散補償ファイバ５０（ＤＣＦ５）および装置外へ出力する。光アンプ１０（ＡＭＰ３）は、分散補償ファイバ５０（ＤＣＦ２）およびアレー導波路格子形光結合分波器２０（ＡＷＧ１）を通過する際に減衰した信号光に含まれる波長λ１の波長を増幅して当該増幅した波長を含む信号光を分散補償ファイバ５０（ＤＣＦ３）へ出力する。このとき、信号光は、当該信号光に含まれる波長λ１が分散補償ファイバ５０（ＤＣＦ３）で−３０００ｐｓ／ｎｍだけ分散補償された後に、装置外へ出力される。光アンプ１０（ＡＭＰ４）は、分散補償ファイバ５０（ＤＣＦ２）およびアレー導波路格子形光結合分波器２０（ＡＷＧ１）を通過する際に減衰した信号光に含まれる波長λ２の波長を増幅して当該増幅した波長を含む信号光を分散補償ファイバ５０（ＤＣＦ４）へ出力する。このとき、信号光は、当該信号光に含まれる波長λ２が分散補償ファイバ５０（ＤＣＦ４）で−２０００ｐｓ／ｎｍだけ分散補償された後に装置外へ出力される。同様に、分散補償ファイバ５０（ＤＣＦ５）に入力された信号光は、当該信号光に含まれる波長λ３が分散補償ファイバ５０（ＤＣＦ５）にて−１０００ｐｓ／ｎｍだけ分散補償された後に装置外へ出力される。
【００２０】
アレー導波路格子形光結合分波器２０（ＡＷＧ２）は、信号光に含まれる波長λ１〜波長λ１２の波長の中から波長λ５、波長λ６、波長λ７および波長λ８の４波長を取り出し、当該取り出した信号光が含む波長λ５、波長λ６、波長λ７および波長λ８の４波長を光アンプ１０（ＡＭＰ５）、光アンプ１０（ＡＭＰ６）、分散補償ファイバ５０（ＤＣＦ８）および装置外へ出力する。光アンプ１０（ＡＭＰ５）は、アレー導波路格子形光結合分波器２０（ＡＷＧ２）を通過する際に減衰した信号光に含まれる波長λ５の波長を増幅して当該増幅した波長を含む信号光を分散補償ファイバ５０（ＤＣＦ６）へ出力する。このとき、信号光は、当該信号光に含まれる波長λ５が分散補償ファイバ５０（ＤＣＦ６）で−３０００ｐｓ／ｎｍだけ分散補償された後に装置外へ出力される。光アンプ１０（ＡＭＰ６）は、アレー導波路格子形光結合分波器２０（ＡＷＧ２）を通過する際に減衰した信号光に含まれる波長λ６の波長を増幅して当該増幅した波長を含む信号光を分散補償ファイバ５０（ＤＣＦ７）へ出力する。同様に、分散補償ファイバ５０（ＤＣＦ７）に入力された信号光は、当該信号光に含まれる波長λ５が分散補償ファイバ５０（ＤＣＦ７）で−２０００ｐｓ／ｎｍだけ分散補償された後に装置外へ出力される。このとき、信号光は、当該信号光に含まれる波長λ７が分散補償ファイバ５０（ＤＣＦ８）にて−１０００ｐｓ／ｎｍだけ分散補償された後に装置外へ出力される。
【００２１】
カットオフシフトファイバ４０（ＣＳＦ１）は、入力された信号光に含まれる波長λ１〜波長λ１２のそれぞれを１０００ｐｓ／ｎｍだけ分散補償した後に当該信号光を光アンプ１０（ＡＭＰ２）へ送出する。光アンプ１０（ＡＭＰ２）は、カットオフシフトファイバ４０（ＣＳＦ１）を通過する際に減衰した信号光に含まれる波長λ１〜波長λ１２のそれぞれを増幅して当該増幅した波長を含む信号光をアレー導波路格子形光結合分波器２０（ＡＷＧ３）へ送出する。
【００２２】
アレー導波路格子形光結合分波器２０（ＡＷＧ３）は、信号光に含まれる波長λ１〜波長λ１２の波長の中から波長λ９、波長λ１０、波長λ１１および波長λ１２の４波長を取り出し、当該取り出した信号光が含む波長λ９、波長λ１０、波長λ１１および波長λ１２を装置外、光アンプ１０（ＡＭＰ７）、光アンプ１０（ＡＭＰ８）および光アンプ１０（ＡＭＰ９）へ送出する。光アンプ１０（ＡＭＰ７）は、アレー導波路格子形光結合分波器２０（ＡＷＧ３）を通過する際に減衰した信号光に含まれる波長λ１０の波長を増幅して当該増幅した波長を含む信号光をカットオフシフトファイバ４０（ＣＳＦ２）へ出力する。このとき、信号光は、当該信号光に含まれる波長λ１０がカットオフシフトファイバ４０（ＣＳＦ２）で１０００ｐｓ／ｎｍだけ分散補償された後に装置外へ出力される。光アンプ１０（ＡＭＰ８）は、アレー導波路格子形光結合分波器２０（ＡＷＧ３）を通過する際に減衰した信号光に含まれる波長λ１１の波長を増幅して当該増幅した波長を含む信号光をカットオフシフトファイバ４０（ＣＳＦ３）へ出力する。このとき、信号光は、当該信号光に含まれる波長λ１１がカットオフシフトファイバ４０（ＣＳＦ３）で２０００ｐｓ／ｎｍだけ分散補償された後に装置外へ出力される。光アンプ１０（ＡＭＰ９）は、アレー導波路格子形光結合分波器２０（ＡＷＧ３）を通過する際に減衰した信号光に含まれる波長λ１２の波長を増幅して当該増幅した波長を含む信号光をカットオフシフトファイバ４０（ＣＳＦ４）へ出力する。このとき、信号光は、当該信号光に含まれる波長λ１２がカットオフシフトファイバ４０（ＣＳＦ４）にて３０００ｐｓ／ｎｍだけ分散補償された後に装置外へ出力される。
【００２３】
図４は第２の実施の形態の分割波長分散補償システム１００を従来の手法で実現した分割波長分散補償システム１００を説明するためのシステムブロック図である。図４において、１０は光アンプ（ＡＭＰ１，…，ＡＭＰ１５）、４０はカットオフシフトファイバ（ＣＳＦ１，…，ＣＳＦ７）、５０は分散補償ファイバ（ＤＣＦ１，…，ＤＣＦ１４）、１００は分割波長分散補償システム、λ１，…，λ１２は信号光に含まれる波長を示している。図４を参照すると、本実施の形態の分割波長分散補償システム１００は、光アンプ１０（ＡＭＰ１，…，ＡＭＰ１５）と、カットオフシフトファイバ４０（ＣＳＦ１，…，ＣＳＦ７）と、分散補償ファイバ５０（ＤＣＦ１，…，ＤＣＦ１４）を備えている。従来の手法で実現した分割波長分散補償システムにおいて必要な分散補償量は分散補償ファイバ５０（ＤＣＦ）で−２８０００ｐｓ／ｎｍ、カットオフシフトファイバ４０（ＣＳＦ）で１００００ｐｓ／ｎｍである。一方、図３を参照すると、第２の実施の形態は、これと同等な分散補償を分散補償ファイバ５０（ＤＣＦ）で−１６０００ｐｓ／ｎｍ、カットオフシフトファイバ４０（ＣＳＦ）で７０００ｐｓ／ｎｍで実現している。なお、図３および図４における光アンプ１０（ＡＭＰ）の位置は光信号の減衰量によって決定されるものであり、必ず図３および図４のように配置するとは限らない。以上説明したように第２の実施の形態によれば、第１の実施の形態に記載の効果と同様の効果を奏する。
【００２４】
（第３の実施の形態）
次に、図面に基づき発明の第３の実施の形態を説明する。図５は第３の実施の形態の分割波長分散補償システム１００を従来の手法で実現した分割波長分散補償システム１００を説明するためのシステムブロック図である。なお、上記実施の形態において既に記述したものと同一の部分については、同一符号を付し、重複した説明は省略する。図５において、７０はスターカプラ、８０は光フィルタ、１００は分割波長分散補償システム、λｎ，…，λｎ＋３は信号光に含まれる波長を示している。図５を参照すると、本実施の形態の分割波長分散補償システム１００は、スターカプラ７０と光フィルタ８０を備え、第２の実施の形態におけるアレー導波路格子形光結合分波器２０（ＡＷＧ１）、アレー導波路格子形光結合分波器２０（ＡＷＧ２）およびアレー導波路格子形光結合分波器２０（ＡＷＧ３）を、図５のようなスターカプラ７０と光フィルタ８０（図中でＦＩＬＴＥＲと表記）とで構成する点に特徴を有している。以上説明したように第３の実施の形態によれば、第１の実施の形態に記載の効果と同様の効果を奏する。
【００２５】
なお、本発明が上記各実施の形態に限定されず、本発明の技術思想の範囲内において、各実施形態は適宜変更され得ることは明らかである。また上記構成部材の数、位置、形状等は上記実施の形態に限定されず、本発明を実施する上で好適な数、位置、形状等にすることができる。また、各図において、同一構成要素には同一符号を付している。
【００２６】
【発明の効果】
本発明は以上のように構成されているので、光波長多重伝送時の波長の分散補償に用いる分散補償ファイバの必要量節減を図ることができるようになるといった効果を奏する。
【図面の簡単な説明】
【図１】本発明の第１の実施の形態にかかる分割波長分散補償システムを説明するためのシステムブロック図である。
【図２】従来の分割波長分散補償システムを説明するためのシステムブロック図である。
【図３】本発明の第２の実施の形態にかかる分割波長分散補償システムを説明するためのシステムブロック図である。
【図４】第２の実施の形態の分割波長分散補償システムを従来の手法で実現した分割波長分散補償システムを説明するためのシステムブロック図である。
【図５】第３の実施の形態の分割波長分散補償システムを従来の手法で実現した分割波長分散補償システムを説明するためのシステムブロック図である。
【符号の説明】
１０…光アンプ（ＡＭＰ）
２０…アレー導波路格子形光結合分波器（ＡＷＧ）
３０…光カプラ（ＣＰＬ）
４０…カットオフシフトファイバ（ＣＳＦ）
５０…分散補償ファイバ（ＤＣＦ）
７０…スターカプラ
８０…光フィルタ（ＦＩＬＴＥＲ）
１００…分割波長分散補償システム
λ１，…，λｎ＋３…波長
【図１】
0003586589.tif 000002
【図２】
0003586589.tif 000003
【図３】
0003586589.tif 000004
【図４】
0003586589.tif 000005
【図５】
0003586589.tif 000006